(57)【要約】【課題】  バスレフ型ウーファにおいて、効率的にバスレフポートを筐体に取り付けることが困難である。【解決手段】  スピーカ装置１は、スピーカシステムに用いられるバスレフ型のウーファであって、スピーカユニット１０を収納する本体部２と、本体部２に取付固定されるバスレフポート２０とを備える。さらに、スピーカ装置１には、バスレフポート２０を取付固定する際に、バスレフポート２０を一時的に仮止めする突起３０が本体部２に設けられている。【選択図】  図６
2005223501.tif 000002
【特許請求の範囲】
【請求項１】
スピーカユニットを収納する本体部と、前記本体部に取付固定されるバスレフポートと、を備えたスピーカ装置であって、
前記バスレフポートを取付固定する際に、前記バスレフポートを仮止めする仮止め部が前記本体部に設けられたことを特徴とするスピーカ装置。
【請求項２】
前記仮止め部は、前記本体部の内面に形成された突起であることを特徴とする請求項１記載のスピーカ装置。
【請求項３】
前記バスレフポートが前記本体部に載置された状態で、前記バスレフポートの回転を抑制する回転抑止部を有することを特徴とする請求項１または２記載のスピーカ装置。
【請求項４】
前記回転抑止部は、前記バスレフポートに形成された複数の係合溝と、前記複数の係合溝にそれぞれ対応して前記本体部に形成された複数の突起であり、
前記係合溝に前記突起が係合することにより、前記バスレフポートの回転が抑止されることを特徴とする請求項３記載のスピーカ装置。
【請求項５】
バスレフポートをスピーカ装置の本体部に形成されたバスレフポート取付部及び仮止め部上に載置する工程と、
前記バスレフポートを前記仮止め部によって仮止めした状態で、前記バスレフポートを前記本体部に固定する工程と、を備えたことを特徴とするスピーカ装置の製造方法。
【請求項６】
前記仮止め部は、前記本体部の内面に形成された突起であることを特徴とする請求項１記載のスピーカ装置の製造方法。
【請求項７】
前記バスレフポートに形成された複数の係合溝と、前記複数の係合溝にそれぞれ対応して前記本体部に形成された複数の突起とを係合させることにより前記バスレフポートの回転を抑止した状態で前記バスレフポートを前記本体部に固定することを特徴とする請求項６記載のスピーカ装置の製造方法。
【発明の詳細な説明】
【技術分野】
【０００１】
本発明は、スピーカ装置及びスピーカ装置の製造方法に関する。
【背景技術】
【０００２】
一般的に、スピーカシステムにおいては、低帯域の再生特性を向上させるためにバスレフ構造のウーファが用いられる場合がある。
図１は、従来のバスレフバスレフ型スピーカの一部拡大断面図である。
図１に示すように、バスレフ型スピーカ１００には、低音域を出力するためのバスレフポート１０１が取り付けられる。
【０００３】
このバスレフポート１０１は、両端が円形に開口した略円筒状の樹脂成型品である。バスレフポート１０１には、一端部に固定用のフランジ部１０２が設けられており、このフランジ部１０２がバスレフ型スピーカ１００の筐体１１０に形成された開口１１０ａの外周縁部１１０ｂにネジ止め等により固定された状態で取り付けられている。また、バスレフポート１０１の他端部１０３は、スピーカユニットから出力される音を効率よくバスレフポート内に送り込むために、内径が他端に近づくにつれて大きくなるホーン状の形状を有している。
（例えば、特許文献１参照）。
【特許文献１】特開平５−２６８６８６号公報
【発明の開示】
【発明が解決しようとする課題】
【０００４】
一般に、バスレフポートは略円筒状の形状を有しており、さらに他端部がホーン状の形状を有しているため、ネジ止め等により筐体に完全に固定するまでは、バスレフポートと筐体との位置が定まりにくい。特に、バスレフポートは、ある程度長手の部材であるため、必然的に固定側と反対側の端部が自重により下方に下がりやすい。したがって、バスレフポートを筐体に取り付ける場合には、作業者は、手や特別な治具を用いてバスレフポートと筐体の位置合わせを行った上で、ネジ止めを行う必要がある。よって、作業者は、バスレフポートを筐体に取り付けるにあたり、位置決めを行った後も、位置決め状態の維持のために注意をはらわねばならず、効率的にバスレフポートを筐体に取り付けることができなかった。
【０００５】
本発明の課題としては、効率的にバスレフポートを筐体に取り付けることができない等が挙げられる。
【課題を解決するための手段】
【０００６】
本発明の請求項１記載のスピーカ装置は、スピーカユニットを収納する本体部と、前記本体部に取付固定されるバスレフポートと、を備えたスピーカ装置であって、前記バスレフポートを取付固定する際に、前記バスレフポートを仮止めする仮止め部が前記本体部に設けられたことを特徴とする。
【０００７】
また、本発明の請求項５記載のスピーカ装置の製造方法は、バスレフポートをスピーカ装置の本体部に形成されたバスレフポート取付部及び仮止め部上に載置する工程と、前記バスレフポートを前記仮止め部によって仮止めした状態で、前記バスレフポートを前記本体部に固定する工程と、を備えたことを特徴とする。
【発明を実施するための最良の形態】
【０００８】
以下、本発明に係るスピーカ装置及びスピーカ装置の製造方法の実施の形態を説明する。
【０００９】
本発明の実施形態に係るスピーカ装置は、スピーカユニットを収納する本体部と、前記本体部に取付固定されるバスレフポートと、を備えたスピーカ装置であって、前記バスレフポートを取付固定する際に、前記バスレフポートを仮止めする仮止め部が前記本体部に設けられている。
【００１０】
本実施形態によれば、バスレフポートを本体部上に載置するだけで、バスレフポートが本体部上に位置決めされる。したがって、バスレフポートを本体部に取り付ける作業者は、バスレフポートと本体部との位置関係を気にかけることなく、すなわちバスレフポートと本体部の位置決めに労力を払うことなく、バスレフポートと本体部の固定を行うことが可能である。したがって、バスレフポートと本体部とを効率的に組み上げ、生産効率を向上させることが可能となる。
【００１１】
具体的に、一例を挙げると、前記仮止め部は、前記本体部の内面に形成された突起である。
【００１２】
また、本実施形態では、前記バスレフポートが前記本体部の上方から載置された状態で、前記バスレフポートの回転を抑制する回転抑止部が設けられている。この回転抑止部としては、例えば、前記バスレフポートに形成された複数の係合溝と、前記複数の係合溝にそれぞれ対応して前記本体部に形成された複数の突起であり、前記係合溝に前記突起が係合することにより、前記バスレフポートの回転が抑止される。
【００１３】
したがって、本実施形態によれば、バスレフポートを本体部上に載置するだけで、バスレフポートが本体部上に位置決めされ、作業者は、バスレフポートの回転方向に関し何ら注意を払うことなく、容易にバスレフポートを本体部に固定することができる。
【実施例】
【００１４】
以下、図面を参照しながら、本発明に係るスピーカ装置及びスピーカ装置の製造方法の具体的な実施例を詳細に説明する。
【００１５】
図２は本実施例のスピーカ装置の斜視図であり、図３はスピーカ装置の本体部を示す上面図であり、図４はバスレフポートを取り付けた状態を示す斜視図であり、図５はバスレフポートの取付を示す斜視図であり、図６は、バスレフポートを仮止めした状態を示す図である。
【００１６】
本実施例のスピーカ装置１は、スピーカシステム中において、低域の再生に用いられる、いわゆるバスレフ型のウーファであり、本体部２と蓋体部３がシール部４を挟み込む形で位置決め固定されてスピーカ装置１の筐体を構成している。
【００１７】
図３に示すように、本体部２には、複数のボス２ａが側壁２ｂの内面側に沿って形成されている。ボス２ａは、蓋体部３を本体部２に固定する際のネジ受け部であり、蓋体部３の上面側から複数のネジ８が蓋体部３を介して本体部２に向かって挿通されて、ボス２ａに締結されることにより、蓋体部３と本体部２が固定される。
【００１８】
本体部２には、スピーカユニット１０が設置されている。このスピーカユニットは、図示せぬアンプからの出力信号に応じて音を再生する再生ユニットであり、本体部２の底面２ｃに形成された図示せぬ開口を介して音をスピーカ装置１の外部に出力する。
【００１９】
また、図３及び図４に示すように、本体部２には、後述するバスレフポート２０が取り付けられるバスレフポート取付部５が形成されている。バスレフポート取付部５は、本体部２の底面２ｃに一体形成された上面視略円形の台座５ａによって構成されている。この台座５ａの上面５ｂには格子状に開口した開口部７が形成されており、また台座５ａの外周には、バスレフポート２０を固定するための複数のバスレフポート取付用ボス６が所定の間隔で形成されている。バスレフポート取付用ボス６の先端部６ａは、台座５ａの上面５ｂよりも上方に突出した突起とされており、各先端部６ａにはネジ止め用のネジ孔６ｂがそれぞれ形成されている。
【００２０】
バスレフポート２０は、略Ｌ字状の形状を有する長手の筒型の樹脂成型品である。このバスレフポート２０は、バスレフポート２０を長さ方向に分割した形状を有する第１の部材２１と第２の部材２２からなり、第１の部材２１と第２の部材２２が重ね合わされて複数の固定部２３にてそれぞれネジ２３ａによって固定されて一体のバスレフポート２０として構成されている。
【００２１】
また、図５に詳細に示すように、バスレフポート２０の一端には、台座５ａの周囲に設けられた複数のバスレフポート取り付け用ボス６に対応した位置に複数の取付部８が設けられている。各取付部８には、バスレフポート取り付け用ボス６の先端部６ａと係合する係合溝８ａと、ボス６にバスレフポート２０を取り付けるためのネジ溝８ｂとがそれぞれ形成されている。
【００２２】
バスレフポート２０が台座５ａの上方から重ね合わされると、バスレフポート取り付け用ボス６の先端部６ａが各取付部８の係合溝８ａにはめ込まれる。これにより、バスレフポート２０は、台座５ａの上面５ｂの法線を軸とした回転が規制され、バスレフポート２０が台座５ａの上方から重ね合わされるだけで、ボス６のネジ孔６ｂと取付部８のネジ溝８ｂが位置決めされるように構成されている。この状態で、ネジ９をネジ溝８ｂを介してネジ孔６ｂにねじ込むことにより、バスレフポート２０が台座５ａに締結固定される。バスレフポート２０の開口２４が台座５ａの上面５ｂに開口した開口部７と連通され、バスレフポート２０を介してスピーカユニット１０の音が外部に放音される。
【００２３】
本実施例では、本体部２の底面２ｃ上には、バスレフポート２０の開口２４側近傍に対応して突起３０が形成されている。この突起３０は、台座５ａ上にバスレフポート２０を上方から載置した状態で、バスレフポート２０と当接してバスレフポート２０をネジ止めすることなく仮止めするためのものである。この突起３０の突出長さは、バスレフポート２０が台座５ａに載置された状態で、僅かに傾いた状態で仮止めされるような長さに設定されている。
【００２４】
すなわち、台座５ａ上にバスレフポート２４を上方から載置した状態では、バスレフポート２０の開口側先端部２０ａと、本体部２の底面２ｃとの間には、ギャップＧが存在するため、このギャップＧを埋めるように台座５ａとバスレフポート２０の形状を補償するものがこの突起３０である。
【００２５】
図７を例に挙げて説明すると、この突起３０が存在しない場合、台座５ａ上にバスレフポート２４を上方から載置すると、バスレフポート２０の自重により、バスレフポート２０の開口側先端部２０ａが傾斜して下方に下がり、本体部２の底面２ｃに当接してしまう。この状態では、ボス６のネジ孔６ｂと取付部８のネジ溝８ｂの係合が垂直方向に外れてしまい、場合によっては、バスレフポート２４が転がって倒れてしまい、ボス６のネジ孔６ｂと取付部８のネジ溝８ｂの位置決めが行えないという事態に至ってしまう。これを解決するためには、手や特別な治具を用いてボス６のネジ孔６ｂと取付部８のネジ溝８ｂを位置決めすればよいが、作業者は位置決めを維持するために労力をかけねばならず、製造効率がよいとはいえないものである。
【００２６】
しかしながら、本実施例によれば、突起３０がバスレフポート２０の開口側先端部２０ａの傾斜を防止するため、垂直方向にボス６のネジ孔６ｂと取付部８のネジ溝８ｂの係合が外れることはなく、ただ単に台座５ａ上にバスレフポート２４を上方から載置するだけで、手や特別な治具を用いることなく、ボス６のネジ孔６ｂと取付部８のネジ溝８ｂを位置決めすることができる。したがって、作業者は、バスレフポート２０と本体部２の位置決めを維持するために労力をかけることなくネジ止めに専念することが可能となり、効率的にバスレフポート２０を本体部２に取り付けることができる。
【００２７】
以上、本実施例のスピーカ装置１におけるバスレフポート２０の取付をまとめると、以下のようになる。
【００２８】
まず、バスレフポート２０をスピーカ装置１の本体部２に形成されたバスレフポート取付部５及び突起３０上に載置し、バスレフポート２０をスピーカ装置１の本体部２上に仮止めする。バスレフポート２０を突起３０によって仮止めした状態では、ボス６のネジ孔６ｂと取付部８のネジ溝８ｂが位置決めされている。この状態で、ボス６のネジ孔６ｂに取付部８のネジ溝８ｂを介してネジ９を締結することにより、バスレフポート２０をスピーカ装置１の本体部２上に完全に固定される。
【００２９】
このように、本実施例によれば、バスレフポート２０をスピーカ装置１の本体部２に形成されたバスレフポート取付部５及び突起３０上に載置するだけで、バスレフポート２０がスピーカ装置１の本体部２に形成されたバスレフポート取付部５に位置決めされる。したがって、作業者は、手でバスレフポート２０を押さえたり、特別な治具を用いてバスレフポートを仮止めすることなく、容易に位置決め及び固定を行うことが可能となり、スピーカ装置１を効率よく製造することが可能となる。
【００３０】
なお、上記実施例では、固定のためにネジ止めを行うとして説明を行ったが、これに限られることはなく、他の固定手段を用いてバスレフポート２０を本体部２に固定するように構成してもよい。
【図面の簡単な説明】
【００３１】
【図１】従来のバスレフバスレフ型スピーカの一部拡大断面図である。
【図２】本実施例のスピーカ装置の斜視図である。
【図３】スピーカ装置の本体部を示す上面図である。
【図４】バスレフポートを取り付けた状態を示す斜視図である。
【図５】バスレフポートの取付を示す斜視図である。
【図６】バスレフポートを仮止めした状態を示す図である。
【図７】突起がない場合の取付を説明する図である。
【符号の説明】
【００３２】
１    スピーカ装置
２    本体部
３    蓋体部
４    シール部
２０  バスレフポート
３０  突起
【図１】
2005223501.tif 000003
【図２】
2005223501.tif 000004
【図３】
2005223501.tif 000005
【図４】
2005223501.tif 000006
【図５】
2005223501.tif 000007
【図６】
2005223501.tif 000008
【図７】
2005223501.tif 000009